(57)【特許請求の範囲】
【請求項１】
コンバータ本体と、コンバータアームとを備え、前記コンバータ本体を前記コンバータアームの先端部に設けられた軸受部に回転可能に支持するとともに該コンバータアームの基端部側をアンテナに固定してなり、前記コンバータ本体を回転操作して前記軸受部に対して角度変位させながら前記コンバータ本体側で通信衛星からの偏波の入力信号ピーク値を検出し、そのピーク値検出角度を保持した状態で前記コンバータ本体を前記軸受部に固定するように構成された衛星通信用コンバータにおいて、
前記コンバータ本体を前記コンバータアームに固定する本体固定手段は、コンバータ本体外周面の周方向所定角度毎に形成された複数の係止部と、コンバータアームの軸受部内に装着され、且つ、前記各係止部に係脱可能な係合部を有する弾性付勢部材とにより構成されており、
前記係止部は、周方向に角度略１°毎に形成した係止リブからなり、
前記弾性付勢部材は板バネからなり、当該板バネのコンバータ本体外周面側に前記係合部としての円弧形状の係合溝が形成されている、
ことを特徴とする衛星通信用コンバータ。
【発明の詳細な説明】
【０００１】
【発明の属する技術分野】
本発明は、主としてパラボラアンテナとセットで使用され、通信衛星からの電波をアンテナを介して受信する衛星通信用コンバータ、特にコンバータ本体と、該本体とアンテナ間に設けられるコンバータアームとの取付構造の改善を図った衛星通信用コンバータに関するものである。
【０００２】
【従来の技術】
図４はこの種のコンバータが装備された従来のアンテナ装置の組立完了状態を示している。この図に示すパラボラアンテナ３０を備えたアンテナ装置は、コンバータ本体３１をコンバータアーム３２に支持する一方、該コンバータアーム３２をパラボラアンテナ３０に固定することにより、コンバータ本体３１をパラボラアンテナ３０と対向する位置に配設してあり、通信衛星からの電波をパラボラアンテナ３０で反射してコンバータ本体３１で受信し、給電用のケーブル３３を通じて、室内に設置したレシーバに送るように構成されている。
【０００３】
ところで、通信衛星から直線偏波を受ける際、該通信衛星からの偏波に合わせるため、地域によってコンバータ本体３１の取付角度を変換する必要があるため、従来では例えば図５に示すようなコンバータ取付構造によって、所要の角度でもってコンバータ本体３１の取り付けを行っていた。
【０００４】
すなわち、コンバータアーム３２は下部アーム部材３４と上部固定部材３５とからなり、下部アーム部材３４と上部固定部材３５の対向面にそれぞれコンバータ本体３１を支持するための軸受部としての半円形状凹部からなる本体挟持部３４ａ，３５ａが設けられている。また、上部固定部材３５の両側にはそれぞれビス挿通孔（図示せず）が上下方向に貫通して形成されているとともに、各ビス挿通孔に対応する下部アーム部材３４の両側部位にはそれぞれネジ孔（図示せず）が形成されている。
【０００５】
さらに、下部アーム部材３４には所定長さのアーム部３４ｂが設けられており、前述のように、このアーム部３４ｂが図４に示したパラボラアンテナ３０まで延びて固定されている。一方、コンバータ本体３１には回転軸部としてのネック部３１ａが形成されている。
【０００６】
そして、コンバータアーム３２にコンバータ本体３１を取り付けるときは、コンバータ本体３１のネック部３１ａを下部アーム部材３４と上部固定部材３５の本体挟持部３４ａ，３５ａ間で挟み込み、その状態でコンバータ本体３１を矢印ｃ1，ｃ2方向に回動させながら、衛星から送信されて来た偏波の入力信号のピーク値を探し、ピーク値が得られたときのコンバータ本体３１の角度位相位置を、取付作業者の手で該コンバータ本体３１を押さえて保持しつつ、上部固定部材３５のそれぞれのビス挿通孔にビス３６を挿通して、下部アーム部材３４のネジ孔に締め付けることにより、下部アーム部材３４と上部固定部材３５とでコンバータ本体３１を固定し、入力信号ピーク値を決定するようにしていた。
【０００７】
【発明が解決しようとする課題】
しかしながら、上記従来構成では、取付作業者が衛星からの偏波の入力信号ピーク値を探すと同時に、コンバータ本体３１を、二つ割形態のコンバータアーム３２にビス止めにより固定すると言う非常に取り付けにくい作業形態となっており、この作業形態ではコンバータ本体３１の角度位置設定と、該コンバータ本体３１のコンバータアーム３２への取り付けと、コンバータアーム３２の組み立てを同時に不安定状態下で行わなければならない。
【０００８】
すなわち、衛星からの偏波の入力信号ピーク値が決まったコンバータ本体３１を作業者が手で押さえながら固定作業を行うため、ビス締め付け固定時に折角合わせた入力信号ピーク値をコンバータ本体３１の取付角度がずれたことにより、再度取り付けをし直さなければならなくなったりと言うように作業が非常に困難であるため、取付作業性に対する改善の要望が大きい。
【０００９】
本発明は、このような従来の問題点に解決するためになされたもので、通信衛星からの直線偏波に合わせるためのコンバータ本体の取付角度調整を容易且つ確実に行うことが可能で、しかも組立作業性に優れた衛星通信用コンバータを提供することを目的とするものである。
【００１０】
【課題を解決するための手段】
上記のように本発明の衛星通信用コンバータは、コンバータ本体と、コンバータアームとを備え、前記コンバータ本体を前記コンバータアームの先端部に設けられた軸受部に回転可能に支持するとともに該コンバータアームの基端部側をアンテナに固定してなり、前記コンバータ本体を回転操作して前記軸受部に対して角度変位させながら前記コンバータ本体側で通信衛星からの偏波の入力信号ピーク値を検出し、そのピーク値検出角度を保持した状態で前記コンバータ本体を前記軸受部に固定するように構成されている。
【００１１】
そして、上記目的を達成するために本発明では、前記コンバータ本体を前記コンバータアームに固定する本体固定手段は、前記コンバータ本体を前記軸受部に対して所定角度毎に節度的に角度変位調整可能で、且つ、節度的に停止した各々の位置で前記コンバータ本体を固定保持可能な構成を有するものとしている。この構成では、コンバータ本体を節度的に回転させて、通信衛星からの偏波の入力信号ピーク値を探し、該入力信号ピーク値が得られた角度位相において、コンバータ本体がコンバータアームに固定保持される。
【００１２】
上記構成において、本体固定手段の具体的構成としては、前記コンバータ本体外周面の周方向所定角度毎に形成された複数の係止部と、コンバータアームの軸受部内に装着され、且つ、前記各係止部に係脱可能な係合部を有する弾性付勢部材とにより構成したものが挙げられる。
【００１３】
この場合、コンバータ本体を回すと、弾性付勢部材の係合部が節度的に係止部に係合する。また、そこから弾性付勢部材の付勢力に抗して強制的にコンバータ本体を回すと、係合部がそのとき係合している係止部から一時的に退避させられ次の係止部に係止される。この操作を何度か繰り返すことにより通信衛星からの偏波の入力信号ピーク値が得られた角度位相において、コンバータ本体がコンバータアームに固定保持される。
【００１４】
【発明の実施の形態】
以下、本発明の実施形態を図面に基づいて説明する。図１は本発明の実施形態に係る衛星通信用コンバータが装備されたアンテナ装置の組立完了状態を示している。この図に示すアンテナ装置は、コンバータ本体１をコンバータアーム２に支持する一方、該コンバータアーム２をパラボラアンテナ３に固定することにより、コンバータ本体１をパラボラアンテナ３と対向する位置に配設したもので、通信衛星からの電波をパラボラアンテナ３で反射してコンバータ本体１で受信し、給電用のケーブル４を通じて、室内に設置したレシーバ等の機器に送るように構成されている。
【００１５】
本実施形態では、通信衛星から直線偏波を受ける際、該通信衛星からの偏波に合わせるために、コンバータ本体１の取付角度の変換が可能なコンバータ取付構造を図２及び図３に示すように構成している。図２はコンバータアーム２にコンバータ本体１を取り付けた状態の正面視を、図３はその取付状態におけるコンバータ本体１及びコンバータアーム２の断面構造をそれぞれ示している。
【００１６】
図２及び図３(Ａ)に示すように、コンバータアーム２は下部アーム部材５と上部固定部材６とからなり、上部固定部材６の両側にはそれぞれビス挿通孔６ａが上下方向に貫通して形成されているとともに、各ビス挿通孔６ａに対応する下部アーム部材５の両側部位にはそれぞれネジ孔５ａが形成されている。また、下部アーム部材５と上部固定部材６との中央部分には、コンバータ本体１を支持するための軸受部としての半円形状凹部からなる本体挟持部５ｂ，６ｂが形成されており、このうち、上部固定部材６の両側本体挟持部６ｂ間には直方体形状の空洞部６ｃが形成されている。
【００１７】
また、下部アーム部材５には所定長さのアーム部５ｃが設けられており、前述のように、このアーム部５ｃが図１に示したパラボラアンテナ３まで延びて固定されている。一方、コンバータ本体１には回転軸部としてのネック部１ａが形成されている。そして、コンバータ本体１は下部アーム部材５と上部固定部材６との本体挟持部５ｂ，６ｂ間にネック部１ａを挟み込んだうえで、上部固定部材６のそれぞれのビス挿通孔６ａにビス７を挿通して、下部アーム部材５のネジ孔５ａに締め付けることにより回転可能に支持される。
【００１８】
このような構成において本実施形態では、図３(Ｂ)に拡大して示すように、コンバータ本体ネック部１ａの外周面上部側に周方向に所定角度毎、具体的には角度１°毎に小さな山状リブからなる係止部としての複数の係止リブ８を左右４５°まで形成してある。
【００１９】
また、上部固定部材６の空洞部６ｃには弾性付勢部材としての板バネ９が介装されている。より具体的には、この板バネ９は逆π字形状を呈するもので、中央部に下方に突出する係合部としての円弧形状の単一の係合溝１０が形成されており、この係合溝１０が前記いずれかの係止リブ８に係脱可能に係止され、且つ、両側脚部９ａが空洞部６ｃの上面に圧接する状態で空洞部６ｃに組み込まれている。なお、図２に示すようにコンバータ本体ネック部１ａの外周面には角度目盛１１が、また、コンバータアーム２の上部固定部材６には角度目盛１１に対応させる合い印１２がそれぞれ刻まれている。
【００２０】
このように構成されたコンバータ本体１をコンバータアーム２に固定する本体固定構造では、コンバータ本体ネック部１ａをコンバータアーム２の本体挟持部５ｂ，６ｂに対して角度１°毎に節度的に角度変位調整可能であり、また係止リブ８が係合溝１０に係止されることにより、節度的に停止した各々の位置でネック部１ａを固定保持することができる。
【００２１】
すなわち、通信衛星からの偏波の入力信号ピーク値を探すときは、コンバータ本体ネック部１ａを回転操作してコンバータ本体１の角度を矢印ｋ1方向またはｋ2方向に強制変位させる。このとき、コンバータ本体ネック部１ａの係止リブ８は板バネ９の付勢力に抗して該板バネ９の係合溝１０を乗り越え、角度１°毎に矢印ｄ方向に動き、板バネ９のバネ付勢力により次の係止リブ８が係合溝１０に係止される。
【００２２】
この操作を何度か繰り返すことにより通信衛星からの偏波の入力信号ピーク値が得られた角度位相において、コンバータ本体１がコンバータアーム２に固定保持される。このようにコンバータ本体１をコンバータアーム２で固定した後においても、左右角度４５°の範囲で角度変位させることができるので、コンバータ本体１の取付角度の調整及び通信衛星からの偏波の入力信号ピーク値の決定を非常にスムーズに行うことが可能になる。
【００２３】
【発明の効果】
以上説明したように本発明によれば、コンバータ本体をコンバータアームに固定するために、コンバータ本体外周面の周方向所定角度毎に形成された複数の係止部と、コンバータアームの軸受部内に装着され、且つ、各係止部に係脱可能な係合部を有する弾性付勢部材とにより本体固定手段を構成しているので、弾性付勢部材の付勢力に抗して強制的にコンバータ本体を回すだけの簡単な操作を何度か繰り返すことにより、容易且つ確実に通信衛星からの偏波の入力信号ピーク値が得られた角度位相において、コンバータ本体をコンバータアームに固定保持することができる。
【図面の簡単な説明】
【図１】本発明の実施形態に係る衛星通信用コンバータが装備されたアンテナ装置を示す斜視図
【図２】コンバータ及びコンバータアームを示す斜視図
【図３】図２における切断線Ａ−Ａに沿う断面図及び要部拡大図
【図４】従来例のアンテナ装置を示す斜視図
【図５】従来例におけるコンバータ及びコンバータアームを示す斜視図
【符号の説明】
１    コンバータ本体                １ａ    ネック部
２    コンバータアーム              ３      パラボラアンテナ
４    ケーブル                      ５      下部アーム部材
５ｂ  本体挟持部                    ５c      アーム部
６    上部固定部材                  ６ｂ      本体挟持部
６c    空洞部                        ７      ビス
８    係止リブ（係止部）            ９        板バネ（弾性付勢部材）
１０  係合溝（係合部）
【図１】
0003629126.tif 000002
【図２】
0003629126.tif 000003
【図３】
0003629126.tif 000004
【図４】
0003629126.tif 000005
【図５】
0003629126.tif 000006